(57)【要約】【課題】外部機器を用いることなく、受信した映像信号に係る映像を見せる人物を制限することができる表示装置及びテレビジョン受信機、並びに、該表示装置を備える通信システムの提供。【解決手段】通信部３３がテレビジョン受信機３又は４から特定人物を示すＩＤを含む映像信号を受信した場合に、制御部４１は、撮像部３５によって撮像された映像に写っている人物を識別する。制御部４１は、受信した映像信号に含まれる特定人物のＩＤと、人物の識別結果とに基づいて、テレビジョン受信機３又は４から受信した映像信号に係る映像を表示部２５に表示する判定した場合、該映像を表示する。【選択図】図１
2013225808.tif 000002
【特許請求の範囲】
【請求項１】
映像信号を受信し、受信した映像信号に係る映像を表示する表示装置において、
特定人物を示す情報を受信する情報受信手段と、
該情報受信手段が情報を受信した場合に撮像された映像に写っている人物を識別する識別手段と、
前記情報受信手段が受信した情報、及び、前記識別手段が識別した結果に基づいて、前記映像信号に係る映像を表示するか否かを判定する表示判定手段と
を備え、
該表示判定手段が表示すると判定した場合に前記映像信号に係る映像を表示するように構成してあること
を特徴とする表示装置。
【請求項２】
前記情報受信手段は、更に、前記特定人物を示す情報の送信元を示す情報を受信し、
前記表示判定手段は、前記情報受信手段が受信した前記送信元を示す情報にも基づいて、前記映像信号に係る映像を表示するか否かを判定するように構成されていること
を特徴とする請求項１に記載の表示装置。
【請求項３】
音声信号を受信する音声受信手段と、
前記情報受信手段が受信した情報、及び、前記識別手段が識別した結果に基づいて、前記音声受信手段が受信した音声信号に係る音声を出力するか否かを判定する出力判定手段と、
該出力判定手段が出力すると判定した場合に前記音声を出力する音声出力部と
を更に備えることを特徴とする請求項１又は請求項２に記載の表示装置。
【請求項４】
前記音声出力部は複数の出力手段を有し、
前記出力判定手段が出力すると判定した場合に、前記複数の出力手段の中で、前記情報受信手段が受信した情報、及び、前記識別手段が識別した結果に応じた出力手段が前記音声を出力するように構成してあること
を特徴とする請求項３に記載の表示装置。
【請求項５】
前記音声を出力する出力手段の変更を受け付ける受付手段を備え、
前記受付手段が変更を受け付けた場合、前記受付手段が受け付けた変更に対応する出力手段が前記音声を出力するように構成してあること
を特徴とする請求項４に記載の表示装置。
【請求項６】
前記音声を出力すべき出力手段を示す情報を、前記情報受信手段が受信する情報、及び、前記識別手段が識別した結果に対応付けて記憶している記憶手段と、
前記受付手段が所定の出力手段への変更を所定回数受け付けた場合、前記記憶手段が記憶している出力手段の情報を前記所定の出力手段を示す情報に書き換える書換手段と、
前記出力判定手段が出力すると判定した場合に、前記情報受信手段が受信した情報、及び、前記識別手段が識別した結果に対応する出力手段を示す情報を前記記憶手段から読み出す読出手段と
を備え、
前記読出手段が読み出した情報が示す出力手段が前記音声を出力するように構成されていること
を特徴とする請求項５に記載の表示装置。
【請求項７】
前記表示判定手段が表示すると判定した場合に、前記情報受信手段が受信した情報、及び、前記識別手段が識別した結果に応じた大きさの表示領域に前記映像信号に係る映像を表示するように構成してあること
を特徴とする請求項１から請求項６のいずれか１つに記載の表示装置。
【請求項８】
前記映像信号に係る映像を表示する表示領域の大きさの変更を受け付ける第２の受付手段を備え、
該第２の受付手段が変更を受け付けた場合、前記第２の受付手段が受け付けた変更に対応する大きさの表示領域に前記映像信号に係る映像を表示するように構成してあること
を特徴とする請求項７に記載の表示装置。
【請求項９】
前記映像信号に係る映像を表示すべき表示領域の大きさを、前記情報受信手段が受信する情報、及び、前記識別手段が識別した結果に対応付けて記憶している第２の記憶手段と、
前記第２の受付手段が所定の大きさへの変更を所定回数受け付けた場合、前記第２の記憶手段が記憶している大きさを前記所定の大きさに書き換える第２の書換手段と、
前記表示判定手段が表示すると判定した場合に、前記情報受信手段が受信した情報、及び、前記取得手段が取得した情報に対応する大きさを前記第２の記憶手段から読み出す第２の読出手段と
を備え、
該第２の読出手段が読み出した大きさの表示領域に前記映像信号に係る映像を表示するように構成してあること
を特徴とする請求項８に記載の表示装置。
【請求項１０】
請求項１から請求項９のいずれか１つに記載の表示装置と、
テレビジョン放送を受信するチューナ部と
を備え、
前記表示装置は、該チューナ部が受信したテレビジョン放送に係る映像を表示するように構成してあること
を特徴とするテレビジョン受信機。
【請求項１１】
映像信号を送信する送信装置と、該送信装置が送信した映像信号を受信し、受信した映像信号に係る映像を表示する表示装置とを備える通信システムにおいて、
前記送信装置は、
特定人物を示す情報を送信する情報送信手段
を有し、
前記表示装置は、
前記情報送信手段が送信した情報を受信する情報受信手段と、
該情報受信手段が情報を受信した場合に撮像する撮像部と、
該撮像部が撮像した映像に写っている人物を識別する識別手段と、
前記情報受信手段が受信した情報、及び、前記識別手段が識別した結果に基づいて、前記映像信号に係る映像を表示するか否かを判定する表示判定手段と
を備え、
前記表示装置は、該表示判定手段が表示すると判定した場合に前記映像信号に係る映像を表示するように構成してあること
を特徴とする通信システム。
【発明の詳細な説明】
【技術分野】
【０００１】
本発明は、外部から受信した映像信号に係る映像を表示する表示装置及びテレビジョン受信機、並びに、前記表示装置を備える通信システムに関する。
【背景技術】
【０００２】
現在、ネットワークを介して映像信号及び音声信号を相互に送信し、映像を用いた通話を行う複数の表示装置を備える通信システムが実用化されている。この通信システムが備える表示装置は、他の表示装置からネットワークを介して映像信号及び音声信号を受信し、受信した映像信号に係る映像の表示と、受信した音声信号に係る音声の出力とを行う。
【０００３】
ここで、複数の人物が立ち入る居間又はダイニングルーム等の場所に表示装置が配置され、所望の人物と通話するために送信された映像信号に係る映像が表示装置によって表示された場合、該映像が所望の人物以外の他の人物によって見られる可能性がある。このように自分と通話するために送信された映像信号に係る映像を他の人物によって見られることを好ましく思わない人々は多い。
【０００４】
そこで、映像を用いて通話を行う表示装置は、ネットワークを介して他の表示装置から送信される映像信号に係る映像を見せる人物を制限することが望ましい。
【０００５】
特許文献１及び２夫々には、受信した映像信号に係る映像を見せる人物を制限することができる通信システムが開示されている。この通信システムでは、ネットワークを介して映像信号及び音声信号を相互に送信して映像を用いた通話を行う複数の表示装置の他に、複数の表示装置夫々に識別情報を送信する複数の携帯端末が用いられる。
【０００６】
特許文献１又は２に記載の通信システムでは、受信側の表示装置は、送信側の表示装置から映像信号と共に識別情報を受信する。複数の携帯端末夫々は、記憶部に予め記憶してある識別情報、又は、他の携帯端末から受信した識別情報を、使用者の操作によって、対象の表示装置に送信する。
【０００７】
受信側の表示装置は、送信側の表示装置から映像信号及び音声信号と共に受信した識別情報と、携帯端末から受信した識別情報とが一致した場合に、送信側の表示装置から受信した映像信号に係る映像を表示する。これにより、特許文献１又は２に記載の通信システムが備える複数の表示装置夫々は、受信した映像信号に係る映像を見せる人物を制限することができる。
【先行技術文献】
【特許文献】
【０００８】
【特許文献１】特開２０１１−１５１５１２号公報
【特許文献２】特開２０１０−４１４５２号公報
【発明の概要】
【発明が解決しようとする課題】
【０００９】
しかしながら、特許文献１及び２夫々に記載の通信システムにおいて、使用者は、表示装置に映像信号に係る映像を表示させるために、携帯端末を操作し、携帯端末から識別情報を含む信号を表示装置に送信しなければならない。
【００１０】
このため、特許文献１及び２夫々に記載の通信システムが備える表示装置には、受信した映像信号に係る映像を表示するために行う携帯端末の操作が使用者にとって煩わしいという問題がある。
【００１１】
音声信号に係る音声についても、特許文献１又は２に記載の通信システムの技術を用いることによって、ネットワークを介して通話を行う表示装置は、受信した音声信号に係る音声を聞かせる人物を制限することができる。しかしながら、このような場合であっても、受信した音声信号に係る音声を出力するために行う携帯端末の操作が使用者にとって煩わしいという同様の問題点がある。
【００１２】
本発明は斯かる事情に鑑みてなされたものであり、その目的とするところは、携帯端末等の外部機器を用いることなく、受信した映像信号に係る映像を見せる人物を制限することができる表示装置及びテレビジョン受信機、並びに、該表示装置を備える通信システムを提供することにある。
本発明に係る他の目的は、外部機器を用いることなく、受信した音声信号に係る音声を聞かせる人物も制限することができる表示装置及びテレビジョン受信機、並びに、該表示装置を備える通信システムを提供することにある。
【課題を解決するための手段】
【００１３】
本発明に係る表示装置は、映像信号を受信し、受信した映像信号に係る映像を表示する表示装置において、特定人物を示す情報を受信する情報受信手段と、該情報受信手段が情報を受信した場合に撮像された映像に写っている人物を識別する識別手段と、前記情報受信手段が受信した情報、及び、前記識別手段が識別した結果に基づいて、前記映像信号に係る映像を表示するか否かを判定する表示判定手段とを備え、該表示判定手段が表示すると判定した場合に前記映像信号に係る映像を表示するように構成してあることを特徴とする。
【００１４】
本発明にあっては、特定人物、例えば、映像信号に係る映像を見るべき人物を示す情報を受信した場合に撮像された映像、例えば、自身の周辺の映像に写っている人物を識別する。人物を識別する方法の一例として、撮像された映像に写っている顔の特徴点の位置が示されたマップを作成し、顔の特徴の位置を示す複数のマップに対応付けて複数の人物夫々を示す情報を記憶している記憶部から、作成したマップに一致する人物を示す情報を読み出す方法がある。
【００１５】
特定の人物を示す情報と同時的に、又は、該情報を受信した後に受信する映像信号に係る映像を表示するか否かは、受信した特定人物を示す情報と、人物の識別結果とに基づいて判定される。映像信号に係る映像を表示すると判定した場合、該映像を表示する。
【００１６】
受信した特定人物が示す情報と、撮像された映像に写っている人物の識別結果とに基づいて映像信号に係る映像を表示するか否かを判定するため、受信した映像信号に係る映像を見る人物を制限することが可能である。例えば、人物の識別結果が、前述したように、撮像された映像に映っている人物夫々を示す情報である場合、該情報に、特定人物を示す情報が含まれるときに映像信号に係る映像を表示するように構成することができる。このような構成では、受信した映像信号に係る映像を見る人物は、特定人物と特定人物の傍にいる人物とに制限される。
【００１７】
また、特定人物が示す情報と、撮像された映像に写っている人物の識別結果とに基づいて映像信号に係る映像を表示するか否かを判定するため、外部機器が不要である。
【００１８】
本発明に係る表示装置は、前記情報受信手段は、更に、前記特定人物を示す情報の送信元を示す情報を受信し、前記表示判定手段は、前記情報受信手段が受信した前記送信元を示す情報にも基づいて、前記映像信号に係る映像を表示するか否かを判定するように構成されていることを特徴とする。
【００１９】
本発明にあっては、特定の人物を示す情報に加えて、特定人物を示す情報の送信元を示す情報を受信し、送信元を示す情報にも基づいて映像を表示するか否かを判定するので、映像信号に係る映像を表示するか否かの判定結果は、使用者の意図をより詳細に反映した結果となる。
【００２０】
本発明に係る表示装置は、音声信号を受信する音声受信手段と、前記情報受信手段が受信した情報、及び、前記識別手段が識別した結果に基づいて、前記音声受信手段が受信した音声信号に係る音声を出力するか否かを判定する出力判定手段と、該出力判定手段が出力すると判定した場合に前記音声を出力する音声出力部とを更に備えることを特徴とする。
【００２１】
本発明にあっては、情報受信手段が受信した情報、及び、撮像された映像に写っている人物の識別結果に基づいて、特定人物を示す情報と同時的に、又は、該情報を受信した後に受信する音声信号に係る音声を出力するか否かを判定する。音声信号に係る音声を出力すると判定した場合、該音声を出力する。
【００２２】
このため、受信した音声信号に係る音声を聞く人物を制限することが可能である。また、情報受信手段が受信した情報、及び、撮像された映像に写っている人物の識別結果に基づいて音声信号に係る音声を出力するか否かを判定するので、外部機器が不要である。
【００２３】
本発明に係る表示装置は、前記音声出力部は複数の出力手段を有し、前記出力判定手段が出力すると判定した場合に、前記複数の出力手段の中で、前記情報受信手段が受信した情報、及び、前記識別手段が識別した結果に応じた出力手段が前記音声を出力するように構成してあることを特徴とする。
【００２４】
本発明にあっては、音声信号に係る音声を出力すると判定した場合に、ヘッドフォン及びスピーカ等の複数の出力器の中で、情報受信手段が受信した情報、及び、撮像された映像に写っている人物の識別結果に応じた出力手段が音声信号に係る音声を出力する。
これにより、音声信号に係る音声を出力すると判定した場合に、適切な出力器によって音声信号に係る音声が出力される。
【００２５】
本発明に係る表示装置は、前記音声を出力する出力手段の変更を受け付ける受付手段を備え、前記受付手段が変更を受け付けた場合、前記受付手段が受け付けた変更に対応する出力手段が前記音声を出力するように構成してあることを特徴とする。
【００２６】
本発明にあっては、音声信号に係る音声を出力する出力手段の変更を受け付けた場合、受け付けた変更に対応する出力手段が音声信号に係る音声を出力するので、使用者は、スピーカ及びヘッドフォン等の複数の出力器の内、所望の出力器で音声信号に係る音声を出力することが可能となる。
【００２７】
本発明に係る表示装置は、前記音声を出力すべき出力手段を示す情報を、前記情報受信手段が受信する情報、及び、前記識別手段が識別した結果に対応付けて記憶している記憶手段と、前記受付手段が所定の出力手段への変更を所定回数受け付けた場合、前記記憶手段が記憶している出力手段の情報を前記所定の出力手段を示す情報に書き換える書換手段と、前記出力判定手段が出力すると判定した場合に、前記情報受信手段が受信した情報、及び、前記識別手段が識別した結果に対応する出力手段を示す情報を前記記憶手段から読み出す読出手段とを備え、前記読出手段が読み出した情報が示す出力手段が前記音声を出力するように構成されていることを特徴とする。
【００２８】
本発明にあっては、記憶手段は、音声信号に係る音声を出力すべき出力手段を示す情報を、情報受信手段が受信した情報、及び、撮像された映像に写っている人物の識別結果に対応付けて記憶している。音声信号に係る音声を出力すると判定した場合に、情報受信手段が受信した情報、及び、撮像された映像に写っている人物の識別結果に対応する情報を記憶手段から読み出し、読み出した情報が示す出力手段が音声信号に係る音声を出力する。
【００２９】
所定の出力手段への変更を所定回数受け付けた場合、記憶手段が記憶している出力手段の情報を、所定の出力手段を示す情報に書き換える。
これにより、出力判定手段による判定結果は使用者の希望に対応した結果になる。
【００３０】
本発明に係る表示装置は、前記表示判定手段が表示すると判定した場合に、前記情報受信手段が受信した情報、及び、前記識別手段が識別した結果に応じた大きさの表示領域に前記映像信号に係る映像を表示するように構成してあることを特徴とする。
【００３１】
本発明にあっては、映像信号に係る映像を表示すると判定した場合、情報受信手段が受信した情報、及び、撮像された映像に写っている人物の識別結果に応じた大きさの表示領域に映像信号に係る映像を表示する。
これにより、映像信号に係る映像を表示すると判定した場合に、適切な大きさの表示領域に該映像が表示される。
【００３２】
本発明に係る表示装置は、前記映像信号に係る映像を表示する表示領域の大きさの変更を受け付ける第２の受付手段を備え、該第２の受付手段が変更を受け付けた場合、前記第２の受付手段が受け付けた変更に対応する大きさの表示領域に前記映像信号に係る映像を表示するように構成してあることを特徴とする。
【００３３】
本発明にあっては、映像信号に係る映像を表示する表示領域の大きさの変更を受け付けた場合、受け付けた変更に対応する大きさの表示領域に映像信号に係る映像を表示するので、使用者が希望する大きさの表示領域に映像信号に係る映像を表示することが可能となる。
【００３４】
本発明に係る表示装置は、前記映像信号に係る映像を表示すべき表示領域の大きさを、前記情報受信手段が受信する情報、及び、前記識別手段が識別した結果に対応付けて記憶している第２の記憶手段と、前記第２の受付手段が所定の大きさへの変更を所定回数受け付けた場合、前記第２の記憶手段が記憶している大きさを前記所定の大きさに書き換える第２の書換手段と、前記表示判定手段が表示すると判定した場合に、前記情報受信手段が受信した情報、及び、前記取得手段が取得した情報に対応する大きさを前記第２の記憶手段から読み出す第２の読出手段とを備え、該第２の読出手段が読み出した大きさの表示領域に前記映像信号に係る映像を表示するように構成してあることを特徴とする。
【００３５】
本発明にあっては、第２の記憶手段は、映像信号に係る映像を表示すべき表示領域の大きさを、情報受信手段が受信する情報、及び、撮像された映像に写っている人物の識別結果に対応付けて記憶している。映像信号に係る映像を表示すると判定した場合、情報受信手段が受信した情報、及び、撮像された映像に写っている人物の識別結果に対応する大きさを第２の記憶手段から読み出し、読み出した大きさの表示領域に映像信号に係る映像を表示する。
【００３６】
所定の大きさへの変更を所定回数受け付けた場合、第２の記憶手段が記憶している大きさを所定の大きさに書き換える。
これにより、表示判定手段による判定結果は使用者の希望に対応した結果になる。
【００３７】
本発明に係るテレビジョン受信機は、前述の表示装置と、テレビジョン放送を受信するチューナ部とを備え、前記表示装置は、該チューナ部が受信したテレビジョン放送に係る映像を表示するように構成してあることを特徴とする。
【００３８】
本発明にあっては、前述の表示装置は、チューナ部が受信したテレビジョン放送に係る映像を表示する。これにより、表示装置は、映像信号に係る映像を表示する機能と、テレビジョン放送に係る映像を表示する機能とを有する。
【００３９】
本発明に係る通信システムは、映像信号を送信する送信装置と、該送信装置が送信した映像信号を受信し、受信した映像信号に係る映像を表示する表示装置とを備える通信システムにおいて、前記送信装置は、特定人物を示す情報を送信する情報送信手段を有し、前記表示装置は、前記情報送信手段が送信した情報を受信する情報受信手段と、該情報受信手段が情報を受信した場合に撮像する撮像部と、該撮像部が撮像した映像に写っている人物を識別する識別手段と、前記情報受信手段が受信した情報、及び、前記識別手段が識別した結果に基づいて、前記映像信号に係る映像を表示するか否かを判定する表示判定手段とを備え、前記表示装置は、該表示判定手段が表示すると判定した場合に前記映像信号に係る映像を表示するように構成してあることを特徴とする。
【００４０】
本発明にあっては、表示装置は、送信装置から特定人物を示す情報を受信した場合に撮像部が撮像した映像に写っている人物を識別する。表示装置は、送信装置から受信した特定人物を示す情報と、人物の識別結果に基づいて、送信装置から受信した映像信号に係る映像を表示するか否かを判定する。
【００４１】
映像信号に係る映像を表示すると判定した場合、送信装置が特定人物を示す情報と同時的に、又は、該情報を送信した後に送信した映像信号に係る映像を表示するか否かを判定する。映像を表示すると判定した場合、送信装置が送信した映像信号に係る映像を表示する。
これにより、表示装置は、外部機器を用いずに、送信装置から受信した映像信号に係る映像を制限することが可能となる。
【発明の効果】
【００４２】
本発明によれば、受信した特定人物を示す情報、及び、撮像された映像に写っている人物の識別結果に基づいて映像信号に係る映像を表示するか否かを判定するため、外部機器を用いることなく、受信した映像信号に係る映像を見せる人物を制限することができる。
【図面の簡単な説明】
【００４３】
【図１】本発明に係る通信システムの要部構成を示すブロック図である。
【図２】受信状況に対する決定対応を例示する図表である。
【図３】表示領域の大きさを説明するための説明図である。
【図４】発信処理を行う場合にテレビジョン受信機の制御部が実行する動作の手順を示すフローチャートである。
【図５】着信処理を行う場合にテレビジョン受信機の制御部が実行する動作の手順を示すフローチャートである。
【図６】着信処理を行う場合にテレビジョン受信機の制御部が実行する動作の手順を示すフローチャートである。
【図７】着信処理を行う場合にテレビジョン受信機の制御部が実行する動作の手順を示すフローチャートである。
【発明を実施するための形態】
【００４４】
以下、本発明をその実施の形態を示す図面に基づいて詳述する。
図１は、本発明に係る通信システムの要部構成を示すブロック図である。この通信システム１は、テレビジョン放送に係る映像を表示し、ネットワークＮを介して互いに接続しているテレビジョン受信機２，３，４を備える。テレビジョン受信機２，３，４夫々は、同様に構成され、互いに映像信号及び音声信号を送信し合って映像を用いた通話を行う。
【００４５】
［テレビジョン受信機２の構成］
以下に、表示装置として機能するテレビジョン受信機２の構成を説明する。テレビジョン受信機３，４夫々の構成については、テレビジョン受信機２の構成と同じであるため、説明を省略する。
テレビジョン受信機２は、チューナ部２０、復調部２１、分離部２２、映像デコーダ２３，２９、設定部２４、表示部２５、音声デコーダ２６，３０、Ｄ／Ａ（Digital／Analog）変換部２７，３１、スピーカ２８、ヘッドフォン３２、通信部３３、受付部３４、撮像部３５、映像エンコーダ３６、マイクロフォン３７、Ａ／Ｄ（Analog／Digital）変換部３８、音声エンコーダ３９、記憶部４０及び制御部４１を備える。
【００４６】
（１．接続関係）
チューナ部２０はアンテナＡ及び復調部２１夫々に接続されている。分離部２２は、復調部２１、映像デコーダ２３及び音声デコーダ２６に各別に接続されている。設定部２４は、映像デコーダ２３，２９、表示部２５及び制御部４１に各別に接続されている。Ｄ／Ａ変換部２７は、音声デコーダ２６及びスピーカ２８夫々に接続されている。スピーカ２８は、Ｄ／Ａ変換部２７の他に、Ｄ／Ａ変換部３１に接続されている。
【００４７】
制御部４１は、バス４２を介して、映像デコーダ２９、音声デコーダ３０、通信部３３、受付部３４、撮像部３５、映像エンコーダ３６、マイクロフォン３７、音声エンコーダ３９及び記憶部４０に接続されている。通信部３３はネットワークＮに接続されている。Ｄ／Ａ変換部３１は、スピーカ２８の他に、音声デコーダ３０及びヘッドフォン３２に各別に接続されている。撮像部３５は映像エンコーダ３６に接続されている。Ａ／Ｄ変換部３８はマイクロフォン３７及び音声エンコーダ３９に各別に接続されている。
【００４８】
（２．テレビジョン放送に関する処理を主に行う各機能部の説明）
チューナ部２０は、アンテナＡが受信したテレビジョン放送に係るデジタルの放送信号の中から、制御部４１によって設定されている周波数帯域に属する放送信号を抽出する。チューナ部２０は、抽出した放送信号を復調部２１に出力する。
【００４９】
復調部２１は、チューナ部２０が抽出した放送信号をＴＳ（Transport Stream）の信号に復調し、復調した信号を分離部２２に出力する。
分離部２２は、復調部２１が復調した信号から、映像信号及び音声信号夫々を分離する。分離部２２は、分離した映像信号を映像デコーダ２３に、分離した音声信号を音声デコーダ２６に出力する。
【００５０】
映像デコーダ２３は、分離部２２が分離した映像信号を復号化し、復号化した映像信号を設定部２４に出力する。
設定部２４は、映像デコーダ２３及び／又は２９から映像信号を、制御部４１から表示部２５に映像を表示する表示領域のレイアウトを示すレイアウト情報を受け付ける。設定部２４は、受け付けたレイアウト情報に従って表示部２５に一又は複数の表示領域を設定し、各表示領域に映像デコーダ２３及び／又は２９から受け付けた映像信号に係る映像を表示部２５に表示させる。
【００５１】
表示部２５は、液晶パネル又は有機ＥＬパネル等であり、設定部２４によって一又は複数の表示領域が設定され、設定された一又は複数の表示領域に映像を表示する。
【００５２】
音声デコーダ２６は、分離部２２が分離した音声信号を復号化する。音声デコーダ２６は、復号化した音声信号の出力の停止を制御部４１によって指示された場合、分離部２２から受け付けた音声信号を破棄してＤ／Ａ変換部２７への音声信号の出力を停止する。音声デコーダ２６は、制御部４１から停止指示を受け付けていない場合、復号化した音声信号をＤ／Ａ変換部２７に出力する。
【００５３】
Ｄ／Ａ変換部２７は、音声デコーダ２６が復号化したデジタルの音声信号をアナログの音声信号に変換し、変換した音声信号をスピーカ２８に出力する。
スピーカ２８は、Ｄ／Ａ変換部２７又は３１からアナログの音声信号を受け付け、受け付けた音声信号に係る音声を出力する。
設定部２４、表示部２５及びスピーカ２８夫々は、通話に関する後述の処理も行う。
【００５４】
（３．通話に関する処理を主に行う各機能部の説明）
映像デコーダ２９は、通信部３３から受け付けた映像信号を復号化し、復号化した映像信号を設定部２４に出力する。映像デコーダ２９は、復号化した映像信号の出力の停止を制御部４１によって指示された場合、復号化した映像信号の出力を停止する。
【００５５】
音声デコーダ３０は、通信部３３から受け付けた音声信号を復号化し、復号化した音声信号をＤ／Ａ変換部３１に出力する。
Ｄ／Ａ変換部３１は、音声デコーダ３０が復号化したデジタルの音声信号をアナログの音声信号に変換する。Ｄ／Ａ変換部３１は、変換した音声信号の出力先を制御部４１によって指示される。Ｄ／Ａ変換部３１は、変換した音声データを、制御部４１の指示に従って、スピーカ２８又はヘッドフォン３２に出力する。
【００５６】
ヘッドフォン３２は、Ｄ／Ａ変換部３１から音声信号を受け付けた場合、受け付けた音声信号に係る音声を出力する。スピーカ２８及びヘッドフォン３２夫々は出力手段として機能し、スピーカ２８及びヘッドフォン３２は全体で音声出力部として機能する。
【００５７】
通信部３３は、ネットワークＮを介してテレビジョン受信機３，４夫々に、より具体的にはテレビジョン受信機３，４夫々の通信部３３に接続されている。テレビジョン受信機２の通信部３３は、映像エンコーダ３６（又は音声エンコーダ３９）から符号化された映像信号（又は音声信号）を受け付けた場合、受け付けた映像信号（又は音声信号）を、制御部４１によって通知されるＩＰ（Internet Protocol）アドレスが割り当てられたテレビジョン受信機３又は４に、ネットワークＮを介して送信する。
【００５８】
このとき、通信部３３は、制御部４１の指示に従って、特定人物を示すＩＤ（Identification）と、特定人物を示すＩＤの送信元、即ち、映像信号（又は音声信号）の送信元であるテレビジョン受信機２のＩＰアドレスとを映像信号（又は音声信号）に付加する。
【００５９】
ここで、特定人物は、通信部３３が送信する映像信号に係る映像を見るべき人物、又は、通信部３３が送信する音声信号に係る音声を聞くべき人物である。
【００６０】
通信部３３は、ネットワークＮを介して映像信号及び音声信号、又は、音声信号のみを送信する送信先であるテレビジョン受信機３又は４を使用する使用者が留守であることを示す留守信号をテレビジョン受信機３又は４から受信した場合、受信した留守信号を制御部４１に出力する。
また、通信部３３は、制御部４１の指示に従って留守信号をテレビジョン受信機３又は４に送信する。
【００６１】
通信部３３は、ネットワークＮを介してテレビジョン受信機３又は４から映像信号及び音声信号を受信する。映像信号（又は音声信号）には、特定人物を示すＩＤと、映像信号（又は音声信号）の送信元を示すテレビジョン受信機３又は４のＩＰアドレスとが含まれている。
【００６２】
通信部３３は、映像信号又は音声信号をテレビジョン受信機３又は４から受信した場合、受信した映像信号又は音声信号に含まれている特定人物を示すＩＤ、及び、送信元のＩＰアドレスを制御部４１に出力する。通信部３３は、制御部４１の指示に従って、受信した映像信号（又は音声信号）を映像デコーダ２９（又は音声デコーダ３０）に出力する。
【００６３】
通信部３３は、ネットワークＮを介してテレビジョン受信機３又は４から通話の停止を指示する停止信号を受信した場合、その旨を制御部４１に通知する。
また、通信部３３は、制御部４１の指示に従って、停止信号を、通話を行っているテレビジョン受信機３又は４に送信する。
特定人物を示すＩＤ、及び、送信元のＩＰアドレス夫々は、特許請求の範囲において、特定人物を示す情報、及び、該情報の送信元を示す情報に該当する。更に、通信部３３は、情報受信手段、及び、音声受信手段として機能する。
【００６４】
受付部３４は、使用者からテレビジョン受信機３又は４への映像信号及び音声信号の送信を指示する送信指示を受け付ける。受付部３４は、送信指示を受け付ける際に、送信先であるテレビジョン受信機３又は４のＩＰアドレスと、特定人物、即ち、テレビジョン受信機３又は４を用いた通話を希望する人物のＩＤとを受け付ける。
【００６５】
受付部３４は、送信指示を受け付ける際に、更に、テレビジョン受信機３又は４から受信した映像信号に係る映像を表示する表示領域の大きさの選択と、複数の出力器、即ち、スピーカ２８及びヘッドフォン３２の中で、テレビジョン受信機３又は４から受信した音声信号に係る音声を出力する出力器の選択とを受け付ける。受付部３４は、送信指示を受け付けた場合、受け付けた送信指示と共に、受け付けたＩＰアドレス及び特定人物のＩＤと、受け付けた選択に係る表示領域の大きさ及び出力器とを制御部４１に通知する。
【００６６】
受付部３４は、テレビジョン受信機２がネットワークＮを介してテレビジョン受信機３又は４と行っている通話の停止指示を受け付け、その旨を制御部４１に通知する。
【００６７】
受付部３４は、テレビジョン受信機２が通話処理を行っている間に、通信部３３が受信した音声信号に係る音声を出力する出力器の変更を受け付け、受け付けた変更に対応する出力器、即ち、スピーカ２８及びヘッドフォン３２のいずれかを制御部４１に通知する。
【００６８】
受付部３４は、テレビジョン受信機２が通話処理を行っている間に、通信部３３が受信した映像信号に係る映像を表示する表示領域の大きさの変更を受け付け、受け付けた変更に対応する表示領域の大きさを制御部４１に通知する。
受付部３４は、受付手段、及び、第２の受付手段に該当する。
なお、受付部３４は、チューナ部２０がアンテナＡから受信すべき放送チャネルを受け付け、受け付けた放送チャネルを制御部４１に通知する機能も有する。
【００６９】
撮像部３５は、テレビジョン受信機２の周辺を撮像することができる位置に配置されており、制御部４１の指示に従って、テレビジョン受信機２の周辺を撮像し、撮像した映像に係る映像信号を映像エンコーダ３６又は制御部４１に出力する。撮像部３５は、映像信号を出力する出力先についても制御部４１によって指示される。
映像エンコーダ３６は、撮像部３５から受け付けた映像信号を符号化し、符号化した映像信号を通信部３３に出力する。
【００７０】
マイクロフォン３７は、テレビジョン受信機２の周辺の音声を集音することができる位置に配置されており、制御部４１の指示に従って、テレビジョン受信機２の周辺の音声を集音し、集音した音声に係るアナログの音声信号をＡ／Ｄ変換部３８に出力する。
【００７１】
Ａ／Ｄ変換部３８は、マイクロフォン３７から受け付けたアナログの音声信号をデジタルの音声信号に変換し、変換した音声信号を音声エンコーダ３９に出力する。
音声エンコーダ３９は、Ａ／Ｄ変換部３８から受け付けた音声信号を符号化し、符号化した音声信号を通信部３３に出力する。
【００７２】
記憶部４０は、受付部３４が受け付けた放送チャネルに対応する周波数帯域と、テレビジョン受信機２のＩＰアドレスとを記憶している。
【００７３】
記憶部４０は留守を通知するための映像信号及び音声信号を記憶している。また、記憶部４０は、複数の人物夫々のＩＤを記憶しており、更に、各ＩＤについて他のＩＤとの関係を記憶している。該関係は家族又は友人等である。
また、記憶部４０は、前記複数の人物夫々が写っている映像において顔の特徴点が示されたマップを、前記複数の人物夫々を示すＩＤに対応付けて記憶している。
【００７４】
記憶部４０は、映像信号又は音声信号の送信元を示すＩＰアドレスと、特定人物を示すＩＤと、特定人物の在／不在と、特定人物を除く他の人物の在／不在と、特定人物、及び、撮像部３５が撮像した映像に写っている他の人物の関係とを示す受信状況に対する対応を記憶している（図２参照）。具体的に、該対応は、留守を通知するか否か、映像を表示するか否か、映像を表示すべき表示領域の大きさ、音声を出力するか否か、及び、音声を出力すべき出力器を示す情報である。
【００７５】
後述するように、記憶部４０が記憶している受信状況に対する対応に従って、制御部４１は、留守を通知するか否か、映像を表示するか否か、音声を出力するか否か、映像を表示すべき表示領域の大きさ、音声を出力するか否か、及び、音声を出力すべき出力器を決定する。以下では、このように、制御部４１が留守を通知するか否か、及び、映像を表示するか否か等を決定するために用いる対応を決定対応と記載する。
【００７６】
ここで、特定人物（又は他の人物）の「在」は、特定人物（又は他の人物）がテレビジョン受信機２の周辺にいることを示し、特定人物（又は他の人物）の「不在」は、テレビジョン受信機２の周辺にいないことを示す。
記憶部４０が記憶している内容は制御部４１によって読み出される。記憶部４０が記憶している受信状況に対する決定対応は、制御部４１によって書き換えられる。
【００７７】
記憶部４０には、受付部３４が映像信号に係る映像が表示される表示領域の大きさの変更を受け付けた場合、制御部４１の指示に従って、表示領域の大きさが変更された後の受信状況に対する対応を、該受信状況に対する決定対応とは別に記憶する。更に、表示領域の大きさが変更された後の受信状況に対する対応に変更した回数が記憶される。
【００７８】
同様に、記憶部４０には、受付部３４が音声信号に係る音声を出力する出力器の変更を受け付けた場合、制御部４１の指示に従って、出力器が変更された後の受信状況に対する対応を、該受信状況に対する決定対応とは別に記憶する。更に、出力器が変更された後の受信状況に対する対応に変更した回数が記憶される。
記憶部４０は、記憶手段、及び、第２の記憶手段として機能する。
【００７９】
（制御部４１のテレビジョン放送に関する処理）
制御部４１は、受付部３４が放送チャネルを受け付けた場合、受付部３４が受け付けた放送チャネルに対応する周波数帯域を記憶部４０から読み出し、チューナ部２０に設定されている周波数帯域を、記憶部４０から読み出した周波数帯域に変更する。
【００８０】
（制御部４１の発信処理）
受付部３４がテレビジョン受信機３に映像信号及び音声信号を送信する送信指示を受け付けた場合における制御部４１の発信処理を説明する。受付部３４がテレビジョン受信機４に映像信号及び音声信号を送信する送信指示を受け付けた場合における制御部４１の発信処理については、受付部３４がテレビジョン受信機３に映像信号及び音声信号を送信する送信指示を受け付けた場合における制御部４１の発信処理と同様であるため、説明を省略する。
【００８１】
制御部４１は、受付部３４がテレビジョン受信機３に映像信号及び音声信号を送信する送信指示を受け付けた場合、撮像部３５に指示して、テレビジョン受信機２の周辺を撮像させ、撮像した映像に係る映像信号を映像エンコーダ３６に出力させる。これにより、撮像部３５が撮像した映像に係る映像信号は映像エンコーダ３６によって符号化され、符号化された映像信号は通信部３３に出力される。
【００８２】
制御部４１は、受付部３４がテレビジョン受信機３に映像信号及び音声信号を送信する送信指示を受け付けた場合、更に、マイクロフォン３７に指示して、テレビジョン受信機２の周辺の音声を集音させ、集音した音声に係る音声信号を音声エンコーダ３９に出力させる。これにより、マイクロフォン３７が集音した音声に係るアナログの音声信号は、Ａ／Ｄ変換部３８によってデジタルの音声信号に変換され、変換された音声信号は音声エンコーダ３９によって符号化される。音声エンコーダ３９によって符号化された音声信号は通信部３３に出力される。
【００８３】
制御部４１は、撮像部３５及びマイクロフォン３７夫々に撮像及び集音を指示した後、受付部３４が送信指示と共に受け付けた送信先のＩＰアドレス、及び、特定人物のＩＤを通信部３３に通知する。更に、制御部４１は、記憶部４０が記憶しているテレビジョン受信機２のＩＰアドレスを読み出し、読み出したＩＰアドレスを通信部３３に通知する。
【００８４】
これにより、通信部３３は、特定人物のＩＤと、送信元であるテレビジョン受信機２のＩＰアドレスとが付加された映像信号及び音声信号を、受付部３４が受け付けたＩＰアドレスが割り当てられたテレビジョン受信機３にネットワークＮを介して送信する。
【００８５】
制御部４１は、送信元のＩＰアドレスを通信部３３に通知した後、受付部３４が送信指示と共に受け付けた選択に係る表示領域の大きさに対応するレイアウト情報を設定部２４に出力する。記憶部４０は、通信部３３が受信した映像信号に係る映像を表示する表示領域の大きさ夫々に対応する複数のレイアウト情報を記憶しており、制御部４１は、受付部３４が送信指示と共に受け付けた選択に係る表示部の大きさに対応するレイアウト情報を記憶部４０から読み出す。
【００８６】
更に、制御部４１は、音声信号に係る音声を出力する出力器が、受付部３４が送信指示と共に受け付けた選択に係る出力器が出力するようにＤ／Ａ変換部３１に指示する。制御部４１は、受付部３４が、音声信号に係る音声を出力する出力器としてスピーカ２８（又はヘッドフォン３２）を受け付けた場合、Ｄ／Ａ変換部３１に指示して、変換した音声信号をスピーカ２８（又はヘッドフォン３２）に出力させる。
【００８７】
制御部４１は、通信部３３が留守信号を、映像信号及び音声信号の送信先であるテレビジョン受信機３から受信した場合、記憶部４０から留守を通知するための映像信号及び音声信号を読み出す。制御部４１は、読み出した映像信号を映像デコーダ２９に、読み出した音声信号を音声デコーダ３０に出力する。これにより、留守を示す映像が表示部２５に表示され、留守を通知する音声がスピーカ２８又はヘッドフォン３２に出力される。
【００８８】
制御部４１は、通信部３３がテレビジョン受信機３から映像信号又は音声信号を受信した場合、テレビジョン受信機３との通話処理を開始する。具体的には、制御部４１は、撮像部３５に指示して一定の間隔でテレビジョン受信機２の周辺を撮像させ、撮像した映像に係る映像信号を映像エンコーダ３６に出力させ、通信部３３に指示して、映像エンコーダ３６が符号化した映像信号をテレビジョン受信機３に送信させる。
【００８９】
更に、制御部４１は、マイクロフォン３７に指示して、テレビジョン受信機２の周辺の音声を一定の間隔で集音させ、集音した音声に係るアナログの音声信号をＡ／Ｄ変換部３８に出力させる。これにより、Ａ／Ｄ変換部３８によって変換されたデジタルの音声信号が音声エンコーダ３９によって符号化され、符号化された音声信号が通信部３３からテレビジョン受信機３に出力される。
【００９０】
また、制御部４１は、通信部３３に指示して、通信部３３が受信した映像信号及び音声信号夫々を映像デコーダ２９及び音声デコーダ３０に出力させる。これにより、通信部３３が受信した映像信号に係る映像が表示部２５に表示され、通信部３３が受信した音声信号に係る音声がスピーカ２８又はヘッドフォン３２に出力される。
【００９１】
Ｄ／Ａ変換部３１が音声信号をスピーカ２８に出力する場合には、制御部４１は、音声デコーダ２６に停止指示を出力して、復号化した音声信号をＤ／Ａ変換部２７に出力することを停止させる。
【００９２】
なお、通信部３３が音声信号のみを受信している場合、制御部４１は、撮像部３５に指示して、撮像を停止させ、撮像部３５が撮像した映像に係る映像信号の送信を停止する。
【００９３】
制御部４１は、通話処理を行っている間、通信部３３が停止信号をテレビジョン受信機３から受信した場合、通話処理を停止する。また、制御部４１は、通話処理を行っている間、受付部３４が通話処理の停止指示を受け付けた場合、停止信号を、受付部３４が送信指示と共に受け付けた送信先のＩＰアドレスが割り当てられたテレビジョン受信機３に送信した後、通話処理を停止する。
制御部４１は、以上のようにして、テレビジョン受信機３との通話処理を行う。
【００９４】
（制御部４１の着信処理）
通信部３３が映像信号及び音声信号を、送信装置として機能するテレビジョン受信機３から受信した場合における制御部４１の着信処理を説明する。この説明では、テレビジョン受信機３における通信部３３は情報送信手段として機能する。
【００９５】
通信部３３が映像信号及び音声信号をテレビジョン受信機４から受信した場合における制御部４１の着信処理については、通信部３３が映像信号及び音声信号をテレビジョン受信機３から受信した場合における制御部４１の着信処理と同様であるため説明を省略する。
【００９６】
制御部４１は、通信部３３が映像信号及び音声信号をテレビジョン受信機３から受信した場合、映像信号又は音声信号に含まれている特定人物を示すＩＤと、送信元、即ち、テレビジョン受信機３を示すＩＰアドレスを確認する。
【００９７】
更に、制御部４１は、撮像部３５に指示して、テレビジョン受信機２の周辺を撮像させ、撮像した映像に係る映像信号を制御部４１に出力させる。制御部４１は、撮像部３５から受け付けた映像信号に係る映像から、該映像に写っている顔の特徴点の位置を示すマップを作成する。
【００９８】
制御部４１は、作成したマップを、記憶部４０に記憶してある複数のマップ夫々と照合し、照合が一致したマップに対応する人物のＩＤを記憶部４０から読み出す。このように、制御部４１は、撮像部３５が撮像した映像に写っている人物を識別する。
【００９９】
制御部４１は、撮像部３５が撮像した映像に写っている人物を全て識別し、識別した人物を示すＩＤの中に、特定人物を示すＩＤが含まれる場合には、特定人物が「在」であると判定し、特定人物を示すＩＤが含まれない場合には、特定人物が「不在」であると判定する。
【０１００】
更に、制御部４１は、撮像部３５が撮像した映像から識別した人物を示すＩＤの中に、特定人物を示すＩＤ以外の他の人物のＩＤが含まれている場合、他の人物が「在」であると判定し、特定人物を示すＩＤと、他の人物を示すＩＤとの関係を記憶部４０から読み出す。
【０１０１】
また、制御部４１は、撮像部３５から受け付けた映像信号に係る映像から作成したマップが記憶部４０に記憶してある複数のマップのいずれとも一致しなかった場合、マップの照合が一致しない人物を、特定人物とは無関係の他人であると識別し、他人であることを示すＩＤを記憶部４０から読み出す。他人であることを示すこのＩＤは記憶部４０に予め記憶されている。
以上のようにして、制御部４１は受信状況を把握し、把握した受信状況に対する決定対応を記憶部４０から読み出す。
【０１０２】
図２は受信状況に対する決定対応を例示する図表である。記憶部４０は、図２に示すような受信状況に対する決定対応を記憶している。図２において、ａ１，ａ２夫々は映像信号又は音声信号に含まれている送信元のＩＰアドレスであり、ｉｄ１，ｉｄ２夫々は、映像信号又は音声信号に含まれている特定人物を示すＩＤである。
【０１０３】
図２に示す「在／不在」は、特定人物がテレビジョン受信機２の周辺に「在」であるか又は「不在」であるかを示す。また、図２に示す「他の人物」には、特定人物以外の他の人物が「不在」であるか否か、及び、特定人物と他の人物との関係が示されている。該関係が記されている場合には、他の人物が「在」であることを意味する。
【０１０４】
図２に示すように、送信元のアドレス及び特定人物ＩＤ夫々がａ１及びｉｄ１であり、特定人物がテレビジョン受信機２の周辺に存在し、他の人物が不在である場合、留守を通知せずに、映像を全画面で表示し、スピーカ２８から音声を出力する。
【０１０５】
図２における受信状況の欄に記載されている「―」は全ての状況について該当することを意味する。例えば、図２における一番下の行では、送信元のＩＰアドレスがａ２であれば、特定人物のＩＤ、特定人物の在／不在、他の人物の在／不在、及び、特定人物と他の人物との関係に関わらず、留守が通知され、映像の表示及び音声の出力は行われない。
また、図２における決定対応の欄に記載されている「―」は、設定する必要のない項目である。
【０１０６】
表示領域の大きさの欄に記載されている「全画面」、「半画面」及び「子画面」について説明する。図３は表示領域の大きさを説明するための説明図である。図３Ａ、図３Ｂ及び図３Ｃ夫々は、通信部３３が受信した映像信号に係る映像を「全画面」、「半画面」及び「子画面」で表示されたテレビジョン受信機２を示している。
【０１０７】
表示領域の大きさが「全画面」である場合、図３Ａに示すように、表示部２５が映像を表示することが可能な表示領域全体に、通信部３３が受信した映像信号に係る映像が表示される。
【０１０８】
表示領域の大きさが「半画面」である場合、図３Ｂに示すように、表示部２５が映像を表示することが可能な表示領域の左半分の表示領域に、通信部３３が受信した映像信号に係る映像が表示される。
【０１０９】
表示領域の大きさが「子画面」である場合、図３Ｃに示すように、表示部２５が映像を表示することが可能な表示領域の左下の小さな表示領域に、通信部３３が受信した映像信号に係る映像が表示される。
【０１１０】
制御部４１は、記憶部４０から読み出した受信状況に対する決定対応に従って、留守を通知するか否かを判定する。制御部４１は、例えば、図２に示すように、送信元のＩＰアドレス及び特定人物のＩＤ夫々がａ１及びｉｄ１であって特定人物が不在である場合、留守を通知する。
【０１１１】
制御部４１は、留守を通知すると判定した場合、通信部３３に指示して、留守信号を送信元のＩＰアドレスが割り当てられたテレビジョン受信機３に送信させる。
【０１１２】
制御部４１は、留守を通知しないと判定した場合、記憶部４０から読み出した受信状況に対する決定対応に従って、通信部３３が受信した音声信号に係る音声を出力する出力器を設定する。
【０１１３】
制御部４１は、出力器をスピーカ２８に設定した場合には、音声デコーダ２６に指示して、復号化した音声信号の出力を停止させ、Ｄ／Ａ変換部３１に、変換した音声信号をスピーカ２８に出力させる。また、制御部４１は、出力器をヘッドフォン３２に設定した場合には、Ｄ／Ａ変換部３１に、変換した音声信号をヘッドフォン３２に出力させる。
【０１１４】
制御部４１は、記憶部４０から読み出した受信状況に対する決定対応に従って、通信部３３が受信した映像信号に係る映像を表示するか否かを判定する。
制御部４１は、映像を表示しないと判定した場合、映像デコーダ２９に指示して、復号化した映像信号の出力を停止させる。
【０１１５】
制御部４１は、映像を表示すると判定した場合、記憶部４０から読み出した受信状況に対する決定対応から表示領域の大きさを読み出し、読み出した表示領域の大きさに対応するレイアウト情報を設定部２４に出力する。
【０１１６】
制御部４１は、表示領域の大きさが「全画面」である場合、図３Ａに示すように、表示部２５が表示可能な表示領域全体に、通信部３３が受信した映像信号に係る映像を表示するレイアウトを示すレイアウト情報を設定部２４に出力する。
【０１１７】
制御部４１は、表示領域の大きさが「半画面」である場合、図３Ｂに示すように、表示部２５が表示可能な表示領域の左半分の表示領域に、通信部３３が受信した映像信号に係る映像を表示するレイアウトを示すレイアウト情報を設定部２４に出力する。残りの右半分の表示領域には、映像デコーダ２３が復号化した映像信号に係る映像、即ち、チューナ部２０が受信したテレビジョン放送に係る映像が表示される。
【０１１８】
制御部４１は、表示領域の大きさが「子画面」である場合、図３Ｃに示すように、表示部２５が表示可能な表示領域の左下にある小さな表示領域に、通信部３３が受信した映像信号に係る映像を表示するレイアウトを示すレイアウト情報を設定部２４に出力する。残りの大部分の表示領域には、映像デコーダ２３が復号化した映像信号に係る映像、即ち、チューナ部２０が受信したテレビジョン放送に係る映像が表示される。
【０１１９】
制御部４１は、受付部３４が通信部３３で受信した音声信号に係る音声を出力する出力器の変更を受け付けた場合、出力器を、受付部３４が受け付けた変更に対応する出力器に変更する。
【０１２０】
制御部４１は、受付部３４がスピーカ２８からヘッドフォン３２への出力器の変更を受け付けた場合、Ｄ／Ａ変換部３１に指示して、変換した音声信号をヘッドフォン３２に出力させる。制御部４１は、受付部３４がヘッドフォン３２からスピーカ２８への出力器の変更を受け付けた場合、音声デコーダ２６に指示して、復号化した音声信号の出力を停止させ、Ｄ／Ａ変換部３１に指示して、変換した音声信号をスピーカ２８に出力させる。
【０１２１】
制御部４１は、通信部３３が受信した音声信号に係る音声を出力する出力器を変更した場合、受付部３４が変更を受け付けたときの受信状況に対して変更された対応、及び、該対応に変更した変更回数を記憶部４０に記憶する。例えば、図２に示すように、送信元のＩＰアドレス及び特定人物のＩＤ夫々が「ａ１」及び「ｉｄ１」であり、テレビジョン受信機２の周辺に、特定の人物が存在し、他の人物が不在である受信状況で、出力器が「スピーカ２８」から「ヘッドフォン３２」に変更された場合、該受信状況において出力器がヘッドフォン３２である対応が記憶部４０にされる。更に、この対応に変更された回数が記憶部４０に記憶される。記憶部４０において、変更された受信状況に対する対応が既に記憶されている場合、制御部４１は、該対応に変更した変更回数を１だけ増やす。
【０１２２】
制御部４１は、所定の出力器への変更を受け付けた回数がＮ１（自然数）である場合、記憶部４０に記憶されている前記受信状況に対する決定対応における出力器を所定の出力器に書き換える。制御部４１は、例えば、図２に示すように、送信元のＩＰアドレス及び特定人物のＩＤ夫々が「ａ１」及び「ｉｄ１」であり、テレビジョン受信機２の周辺に、特定の人物が存在し、他の人物が不在である受信状況に対する決定対応において、出力器を「スピーカ２８」から「ヘッドフォン３２」に書き換える。
【０１２３】
制御部４１は、受付部３４が通信部３３で受信した映像信号に係る映像を表示する表示領域の大きさの変更を受け付けた場合、表示領域の大きさを、受付部３４が受け付けた変更に対応する大きさに変更する。具体的には、制御部４１は、変更する表示領域の大きさに対応するレイアウト情報を設定部２４に出力することによって、表示領域の大きさを変更する。例えば、制御部４１は、表示領域の大きさを「全画面」から「半画面」に変更する場合、「半画面」に対応するレイアウト情報を設定部２４に出力する。
【０１２４】
制御部４１は、通信部３３が受信した映像信号に係る映像を表示する表示領域の大きさを変更した場合、変更された受信状況に対する対応と、該対応に変更した変更回数とを記憶部４０に記憶する。例えば、図２に示すように、送信元のＩＰアドレス及び特定人物のＩＤ夫々が「ａ１」及び「ｉｄ１」であり、テレビジョン受信機２の周辺に、特定の人物が存在し、他の人物が不在である受信状況において、表示領域の大きさが「全画面」から「半画面」に変更された場合、該受信状況において表示領域の大きさが「半画面」である対応が記憶部４０にされる。更に、この対応に変更された回数が記憶部４０に記憶される。記憶部４０において、変更された受信状況に対する対応が既に記憶されている場合、制御部４１は、該対応に変更した変更回数を１だけ増やす。
【０１２５】
制御部４１は、所定の大きさへの変更を受け付けた変更回数がＮ２（自然数）である場合、記憶部４０に記憶されている受信状況に対する決定対応における表示領域の大きさを所定の大きさに書き換える。制御部４１は、送信元のＩＰアドレス及び特定人物のＩＤ夫々が「ａ１」及び「ｉｄ１」であり、テレビジョン受信機２の周辺に、特定の人物が存在し、他の人物が不在である受信状況に対する決定対応において、表示領域の大きさを「全画面」から「半画面」に書き換える。
【０１２６】
通信部３３が映像信号又は音声信号を受信した場合に制御部４１が行う通話処理は、受付部３４が送信指示を受け付けた場合に制御部４１が行う前述の通話処理と同様である。
【０１２７】
制御部４１は、通話処理を行っている間、撮像部３５に指示して、テレビジョン受信機２の周辺を撮像させ、撮像した映像に係る映像信号を制御部４１に出力させる。制御部４１は、撮像部３５から受け付けた映像信号に係る映像に写っている人物を、前述した識別方法と同様にして識別する。
なお、通話処理で撮像部３５が撮像している場合には、撮像部３５に指示して、撮像した映像に係る映像信号を映像デコーダ２９と共に制御部４１に出力させる。
【０１２８】
制御部４１は、通話処理を行っている間、撮像部３５が撮像した映像に写っている人数が増え、かつ、通信部３３が受信した映像信号に係る映像が表示部２５に表示されている場合、映像デコーダ２９に指示して復号化した映像信号の出力を停止させ、映像の表示を停止する。
【０１２９】
制御部４１は、通話処理を行っている間、通信部３３が停止信号を受信した場合、通話処理を停止する。また、制御部４１は、通話処理を行っている間、受付部３４が通話処理の停止指示を受け付けた場合、停止信号を、通信部３３が受信した映像信号又は音声信号に含まれる送信元のＩＰアドレスが割り当てられたテレビジョン受信機３に送信した後、通話処理を停止する。
制御部４１は、識別手段、表示判定手段、出力判定手段、書換手段、読出手段、第２の書換手段、及び、第２の読出手段として機能する。
【０１３０】
次に、テレビジョン受信機３の制御部４１が発信処理を行い、テレビジョン受信機２の制御部４１が着信処理を行って、テレビジョン受信機２及び３が通話を行う場合について例示する。
【０１３１】
［発信処理を行う場合にテレビジョン受信機３の制御部４１が実行する動作の手順］
この手順の説明で示す通信部３３及び制御部４１等の機能部は、特に明示しない限りテレビジョン受信機３の機能部とする。
図４は、発信処理を行う場合にテレビジョン受信機３の制御部４１が実行する動作の手順を示すフローチャートである。
【０１３２】
まず、制御部４１は、受付部３４がテレビジョン受信機２へ映像信号及び音声信号を送信する送信指示を受け付けたか否かを判定する（ステップＳ１）。制御部４１は、送信指示を受け付けていないと判定した場合（ステップＳ１：ＮＯ）、ステップＳ１の判定を繰り返し、受付部３４が送信指示を受け付けるまで待機する。
【０１３３】
制御部４１は、テレビジョン受信機２へ映像信号及び音声信号を送信する送信指示を受け付けたと判定した場合（ステップＳ１：ＹＥＳ）、通信部３３に指示して、撮像部３５が撮像した映像に係る映像信号、及び、マイクロフォン３７が集音した音声に係る音声信号をテレビジョン受信機２へ送信する（ステップＳ２）。
【０１３４】
ここで、通信部３３が送信する映像信号及び音声信号には、受付部３４が送信指示と共に受け付けた特定人物のＩＤと、記憶部４０が記憶している送信元、即ち、テレビジョン受信機３のＩＰアドレスとが通信部３３によって付加されている。また、テレビジョン受信機２のＩＰアドレスは、受付部３４によって送信指示と共に受け付けられる。
【０１３５】
制御部４１は、ステップＳ２を実行した後、通信部３３がテレビジョン受信機２から留守信号を受信したか否かを判定する（ステップＳ３）。制御部４１は、通信部３３がテレビジョン受信機２から留守信号を受信したと判定した場合（ステップＳ３：ＹＥＳ）、記憶部４０から読み出した留守を通知するための映像信号及び音声信号夫々を映像デコーダ２９及び音声デコーダ３０に出力することによって留守を使用者に通知する（ステップＳ４）。
【０１３６】
制御部４１は、通信部３３がテレビジョン受信機２から留守信号を受信していないと判定した場合（ステップＳ３：ＮＯ）、通信部３３が映像信号又は音声信号をテレビジョン受信機２から受信したか否かを判定する（ステップＳ５）。制御部４１は、映像信号及び音声信号のいずれもテレビジョン受信機２から受信していないと判定した場合（ステップＳ５：ＮＯ）、処理をステップＳ３に戻し、通信部３３が留守信号、映像信号又は音声信号をテレビジョン受信機２から受信するまでステップＳ３及びＳ５の処理を繰り返す。
【０１３７】
制御部４１は、通信部３３がテレビジョン受信機２から映像信号又は音声信号を受信したと判定した場合（ステップＳ５：ＹＥＳ）、ネットワークＮを介して接続されているテレビジョン受信機２との通話処理を開始する（ステップＳ６）。
【０１３８】
ここで、制御部４１は、通信部３３がテレビジョン受信機２から映像信号を受信していない場合における通話処理では、撮像部３５に指示して、撮像を停止させ、撮像部３５が撮像した映像に係る映像信号の送信を停止する。テレビジョン受信機３は、テレビジョン受信機２と音声のみの通話処理を行う。
【０１３９】
次に、制御部４１は、テレビジョン受信機２から停止信号を受信したか否かを判定する（ステップＳ７）。制御部４１は、停止信号を受信していないと判定した場合（ステップＳ７：ＮＯ）、受付部３４が通話処理の停止指示を受け付けたか否かを判定する（ステップＳ８）。制御部４１は、停止指示を受け付けていないと判定した場合（ステップＳ８：ＮＯ）、処理をステップＳ７に戻し、通信部３３による停止指示の受信、又は、受付部３４による停止指示の受付が行われるまで、通話処理を行う。
【０１４０】
制御部４１は、停止指示を受け付けたと判定した場合（ステップＳ８：ＹＥＳ）、通信部３３に指示して、ステップＳ１で受付部３４が送信指示と共に受け付けた送信先のＩＰアドレスが割り当てられたテレビジョン受信機２に停止信号を送信する（ステップＳ９）。
【０１４１】
制御部４１は、停止信号を受信したと判定した場合（ステップＳ７：ＹＥＳ）、又は、ステップＳ９を実行した後、通話処理を停止する（ステップＳ１０）。
制御部４１は、ステップＳ４又はＳ１０を実行した後、動作を終了する。
【０１４２】
［着信処理を行う場合にテレビジョン受信機２の制御部４１が実行する動作の手順］
この手順の説明で示す通信部３３及び制御部４１等の機能部は、特に明示しない限りテレビジョン受信機２の機能部とする。
図５、図６及び図７は、着信処理を行う場合にテレビジョン受信機２の制御部４１が実行する動作の手順を示すフローチャートである。
【０１４３】
まず、制御部４１は、通信部３３がテレビジョン受信機３又は４から映像信号及び音声信号を受信したか否かを判定する（ステップＳ２１）。制御部４１は、映像信号及び音声信号を受信していないと判定した場合（ステップＳ２１：ＮＯ）、処理をステップＳ２１に戻し、通信部３３がテレビジョン受信機３又は４から映像信号及び音声信号を受信するまでステップＳ２１の判定を繰り返す。
【０１４４】
制御部４１は、テレビジョン受信機３から映像信号及び音声信号を受信したと判定した場合（ステップＳ２１：ＹＥＳ）、通信部３３が受信した映像信号又は音声信号に含まれている特定人物のＩＤ、及び、送信元、即ち、テレビジョン受信機３のＩＰアドレスを確認する（ステップＳ２２）。
【０１４５】
以下では、通信部３３がテレビジョン受信機３から映像信号及び音声信号を受信した場合に実行する制御部４１の動作を記載する。ステップＳ２１で通信部３３がテレビジョン受信機４から映像信号及び音声信号を受信した場合に実行する制御部４１の動作ついては、通信部３３がテレビジョン受信機３から映像信号及び音声信号を受信した場合に実行する制御部４１の動作と同様であるため、説明を省略する。
【０１４６】
制御部４１は、ステップＳ２２を実行した後、撮像部３５に指示して、テレビジョン受信機２の周辺を撮像させ（ステップＳ２３）、撮像部３５が撮像した映像に写っている人物を識別する（ステップＳ２４）。ここでは、制御部４１は、撮像部３５が撮像した映像に写っている顔の特徴点の位置を示すマップを作成し、記憶部４０が記憶している複数のマップの中で、作成したマップと一致する人物のＩＤを記憶部４０から読み出すことによって、人物を識別する。
【０１４７】
次に、制御部４１は、ステップＳ２２で確認した特定人物のＩＤ及び送信元のＩＰアドレス、並びに、ステップＳ２３で識別した人物のＩＤから、受信状況を把握する（ステップＳ２５）。受信状況は、送信元を示すＩＰアドレスと、特定人物のＩＤと、特定人物の在／不在と、特定人物を除く他の人物の在／不在と、特定人物及び他の人物の関係とを示す状況である（図２参照）。
【０１４８】
次に、制御部４１は、ステップＳ２５で把握した受信状況に対する決定対応を記憶部４０から読み出し（ステップＳ２６）、読み出した決定対応から、ステップＳ２２で確認した送信元のＩＰアドレスが割り当てられたテレビジョン受信機３に留守を通知するか否かを判定する（ステップＳ２７）。
【０１４９】
制御部４１は、留守を通知すると判定した場合（ステップＳ２７：ＹＥＳ）、留守信号を、ステップＳ２２で確認した送信元のＩＰアドレスが割り当てられたテレビジョン受信機３に送信する（ステップＳ２８）。
【０１５０】
制御部４１は、留守を通知しないと判定した場合（ステップＳ２７：ＮＯ）、ステップＳ２６で読み出した決定対応に従って、通信部３３が受信した音声信号に係る音声を出力する出力器をスピーカ２８又はヘッドフォン３２に設定する（ステップＳ２９）
【０１５１】
次に、制御部４１は、ステップＳ２６で読み出した決定対応に従って、表示部２５に、通信部３３が受信した映像信号に係る映像を表示するか否かを判定する（ステップＳ３０）。制御部４１は、映像を表示しないと判定した場合（ステップＳ３０：ＮＯ）、映像デコーダ２９に指示して、復号化した映像信号の出力を停止させる（ステップＳ３１）。
【０１５２】
制御部４１は、映像を表示すると判定した場合（ステップＳ３０：ＹＥＳ）、ステップＳ２６で読み出した決定対応に示されている表示領域の大きさに応じたレイアウト情報を設定部２４に出力する（ステップＳ３２）。これにより、通信部３３が受信した映像信号に係る映像が、ステップＳ２６で読み出した決定対応に示されている大きさの表示領域に表示される。
【０１５３】
制御部４１は、ステップＳ３１又はＳ３２を実行した後、テレビジョン受信機３との通話処理を開始する（ステップＳ３３）。
なお、制御部４１は、ステップＳ３０で映像を表示しないと判定している場合には、音声のみの通話処理を行う。
【０１５４】
次に、制御部４１は、受付部３４が通信部３３で受信した音声信号に係る音声を出力する出力器の変更を受け付けたか否かを判定する（ステップＳ３４）。制御部４１は、出力器の変更を受け付けたと判定した場合（ステップＳ３４：ＹＥＳ）、出力器を、受付部３４が受け付けた変更に対応する出力器、即ち、スピーカ２８又はヘッドフォン３２に変更する(ステップＳ３５)。
【０１５５】
次に、制御部４１は、ステップＳ２６で読み出した受信状況に対して変更された対応、及び、該対応に変更した変更回数を記憶部４０に記憶する（ステップＳ３６）。ここで、ステップＳ２６で読み出した受信状況に対して変更された対応は、ステップＳ２６で読み出した受信状況に対する決定対応とは別に記憶される。更に、ステップＳ２６で読み出した受信状況に対して変更された対応が既に記憶部４０に記憶されている場合、該対応に変更した変更回数を１だけ増やす。制御部４１は、ステップＳ３６を実行した後、記憶部４０が記憶している変更回数がＮ１であるか否かを判定する（ステップＳ３７）。
【０１５６】
制御部４１は、変更回数がＮ１であると判定した場合（ステップＳ３７：ＹＥＳ）、記憶部４０に記憶されている受信状況の中で、ステップＳ２６で読み出した受信状況に対する決定対応における出力器の情報を、ステップＳ３５で受け付けた変更に対応する出力器の情報に書き換える（ステップＳ３８）。
【０１５７】
制御部４１は、出力器の変更を受け付けていないと判定した場合（ステップＳ３４：ＮＯ）、変更回数がＮ１でないと判定した場合（ステップＳ３７：ＮＯ）、又は、ステップＳ３８を実行した後、受付部３４が通信部３３で受信した映像信号に係る映像を表示する表示領域の大きさの変更を受け付けたか否かを判定する（ステップＳ３９）。
なお、通信部３３が受信した映像信号に係る映像を表示しない場合、制御部４１は、表示領域の大きさの変更を受け付けていないと判定する。
【０１５８】
制御部４１は、表示領域の大きさの変更を受け付けたと判定した場合（ステップＳ３９：ＹＥＳ）、受け付けた変更に対応する大きさに応じたレイアウト情報を設定部２４に出力することによって、表示領域の大きさを、受け付けた変更に対応する大きさに変更する（ステップＳ４０）。
【０１５９】
次に、制御部４１は、ステップＳ２６で読み出した受信状況に対して変更された対応、及び、該対応に変更した変更回数を記憶部４０に記憶する（ステップＳ４１）。ここで、ステップＳ２６で読み出した受信状況に対して変更された対応は、ステップＳ２６で読み出した受信状況に対する決定対応とは別に記憶される。更に、ステップＳ２６で読み出した受信状況に対して変更された対応が既に記憶部４０に記憶されている場合、該対に変更した変更回数を１だけ増やす。制御部４１は、ステップＳ４１を実行した後、記憶部４０が記憶している変更回数がＮ２であるか否かを判定する（ステップＳ４２）。
【０１６０】
制御部４１は、変更回数がＮ２であると判定した場合（ステップＳ４２：ＹＥＳ）、記憶部４０に記憶されている受信状況の中で、ステップＳ２６で読み出した受信状況に対する決定対応における表示領域の大きさを、ステップＳ３９で受け付けた変更に対応する表示領域の大きさに書き換える（ステップＳ４３）。
【０１６１】
制御部４１は、表示領域の大きさの変更を受け付けていないと判定した場合（ステップＳ３９：ＮＯ）、変更回数がＮ２でないと判定した場合（ステップＳ４２：ＮＯ）、又は、ステップＳ４３を実行した後、撮像部３５に指示してテレビジョン受信機２の周辺を撮像させる（ステップＳ４４）。
なお、通話処理で撮像部３５が撮像している場合、制御部４１は、撮像部３５に指示して、撮像した映像に係る映像信号を映像エンコーダ３６と共に、制御部４１に出力させる。
【０１６２】
次に、制御部４１は、ステップＳ２４と同様にして、ステップＳ４４で撮像した映像に写っている人物を識別し（ステップＳ４５）、撮像部３５が撮像した映像に写っている人数が増加したか否かを判定する（ステップＳ４６）。
【０１６３】
制御部４１は、人数が増加したと判定した場合（ステップＳ４６：ＹＥＳ）、通信部３３が受信した映像信号に係る映像を表示しているか否かを判定する（ステップＳ４７）。制御部４１は、通信部３３が映像信号を受信しているか否かによって、通信部３３が映像信号に係る映像を表示部２５に表示しているか否かを判定する。
【０１６４】
制御部４１は、映像を表示していると判定した場合（ステップＳ４７：ＹＥＳ）、映像デコーダ２９に指示して、復号化した映像信号の出力を停止させる（ステップＳ４８）。
【０１６５】
制御部４１は、人数が増加していないと判定した場合（ステップＳ４６：ＮＯ）、映像を表示していないと判定した場合（ステップＳ４７：ＮＯ）、又は、ステップＳ４８を実行した後、通信部３３がテレビジョン受信機３から停止信号を受信したか否かを判定する（ステップＳ４９）。
【０１６６】
制御部４１は、停止信号を受け付けていないと判定した場合（ステップＳ４９：ＮＯ）、受付部３４が通話処理の停止指示を受け付けたか否かを判定する（ステップＳ５０）。制御部４１は、停止指示を受け付けていないと判定した場合（ステップＳ５０：ＮＯ）、処理をステップＳ３４に戻し、通話処理を継続して行う。
【０１６７】
制御部４１は、停止指示を受け付けたと判定した場合（ステップＳ５０：ＹＥＳ）、通信部３３に指示して、ステップＳ２２で確認した送信元のＩＰアドレスが割り当てられたテレビジョン受信機３に停止信号を送信する（ステップＳ５１）。
【０１６８】
制御部４１は、停止信号を受信したと判定した場合（ステップＳ４９：ＹＥＳ）、又は、ステップＳ５１を実行した後、通話処理を停止する（ステップＳ５２）。
制御部４１は、ステップＳ２８又はＳ５２を実行した後、動作を終了する。
【０１６９】
本実施の形態にあっては、制御部４１は、通信部３３が映像信号及び音声信号を受信した場合、受信した映像信号又は音声信号に含まれる特定人物のＩＤと、撮像部３５が撮像した映像に写っている人物の識別結果とに基づいて映像信号に係る映像を表示するか否かを判定する。このため、外部機器を用いずに、通信部３３が受信した映像信号に係る映像を見る人物、及び、通信部３３が受信した音声信号に係る音声を聞く人物を制限することができる。
【０１７０】
本実施の形態にあっては、制御部４１が把握する受信状況に映像信号又は音声信号の送信元を示すＩＰアドレスが含まれるので、特定の送信元から送信される映像信号に係る映像を表示しないように構成することができる。これにより、通信部３３が受信した映像信号に係る映像を表示するか否かの判定結果は、使用者の意図をより詳細に反映した結果となる。
【０１７１】
本実施の形態にあっては、通信部３３が受信した音声信号に係る音声を出力する場合、スピーカ２８及びヘッドフォン３２の中で、制御部４１が把握した受信状況に応じた適切な出力器が通信部３３で受信された音声信号に係る音声を出力することができる。
【０１７２】
本実施の形態にあっては、通話処理が行われている間に、受付部３４が通信部３３で受信した音声信号に係る音声を出力器の変更を受け付けた場合、受け付けた変更に対応する出力器で音声が出力される。従って、使用者は、複数の出力器の内、所望の出力器で通信部３３が受信した音声信号に係る音声を出力することができる。
【０１７３】
本実施の形態にあっては、一の受信状況で、通信部３３が受信した音声信号に係る音声を出力する出力器の変更を受付部３４が受け付けた場合、変更後の一の受信状況に対する対応が一の受信状況に対する決定対応とは別に記憶部４０に記憶される。変更後の一の受信状況に対する対応に変更した回数がＮ１である場合に一の受信状況に対する決定対応における出力器の情報が、受付部３４が受け付けた変更に係る出力器の情報に書き換えられる。これにより、記憶部４０に記憶してある受信状況に対する決定対応が、使用者の希望に合った対応になる。
【０１７４】
本実施の形態にあっては、通信部３３が受信した映像信号に係る映像を表示する場合、「全画面」、「半画面」及び「子画面」の中で、制御部４１が把握した受信状況に応じた適切な大きさの表示領域に、通信部３３が受信した映像信号に係る映像を表示することができる。
【０１７５】
本実施の形態にあっては、通話処理が行われている間に、受付部３４が通信部３３で受信した映像信号に係る映像を表示する表示領域の大きさの変更を受け付けた場合、受け付けた大きさの表示領域に通信部３３が受信した映像信号に係る映像を表示する。このため、使用者の希望に合った大きさの表示領域に通信部３３が受信した映像信号に係る映像を表示することができる。
【０１７６】
本実施の形態にあっては、一の受信状況で、通信部３３が受信した映像信号に係る映像を表示する表示領域の大きさの変更を受付部３４が受け付けた場合、変更後の一の受信状況に対する対応が一の受信状況に対する決定対応とは別に記憶部４０に記憶される。変更後の一の受信状況に対する対応に変更した回数がＮ２である場合に一の受信状況に対する決定対応における表示領域の大きさが、受付部３４が受け付けた変更に係る大きさに書き換えられる。これにより、記憶部４０に記憶してある受信状況に対する決定対応が、使用者の希望に合った対応になる。
【０１７７】
なお、テレビジョン受信機２は、テレビジョン放送に係る映像の表示及び音声の出力を行わずに、通信部３３が受信した映像信号に係る映像の表示と、通信部３３が受信した音声信号に係る音声の出力とを行う表示装置であっても、前述したテレビジョン受信機２と同様の作用及び効果を奏する。この場合、表示装置の構成は、テレビジョン受信機２の構成から、チューナ部２０、復調部２１、分離部２２、映像デコーダ２３、音声デコーダ２６及びＤ／Ａ変換部３１を除いた構成である。
【０１７８】
なお、表示領域の大きさが「半画面」である場合に、通信部３３が受信した映像信号に係る映像を表示する表示領域は、表示部２５が映像を表示することが可能な表示領域の左半分の表示領域に限定されず、右半分、上半分又は下半分の表示領域でもよい。同様に、表示領域の大きさが「子画面」である場合に、通信部３３が受信した映像信号に係る映像を表示する表示領域は、表示部２５が映像を表示することが可能な表示領域の左下の小さな表示領域に限定されない。
更に、表示領域の大きさは「全画面」、「半画面」及び「子画面」に限定されない。
【０１７９】
なお、通信部３３が受信した映像信号に係る映像を表示する表示領域の大きさは固定されてもよい。この場合、記憶部４０には、表示領域の大きさは記憶されず、通信部３３が受信した映像信号に係る映像は、一定の大きさの表示領域に表示される。
【０１８０】
同様に、通信部３３が受信する音声信号に係る音声を出力する出力器も同様に固定されてもよい。この場合、記憶部４０には、通信部３３が受信した音声信号に係る音声を出力する出力器を示す情報は記憶されず、通信部３３が受信した音声信号に係る音声は、１つの出力器で出力される。
【０１８１】
また、テレビジョン受信機２は撮像部３５を備える必要はなく、撮像部３５をテレビジョン受信機２の外部に設けてもよい。同様に、テレビジョン受信機２はヘッドフォン３２を備える必要はなく、テレビジョン受信機２の外部に設けられてもよい。
【０１８２】
更に、テレビジョン受信機２が備える出力器は、スピーカ２８又はヘッドフォン３２に限定されず、例えばイヤホンであってもよい。
また、テレビジョン受信機２が備える出力器は、２つに限定されず、１つ又は３つ以上であってもよい。
【０１８３】
なお、撮像部３５が撮像した人物の識別方法は、顔の特徴点のマップを作成し、作成したマップと、記憶部４０が複数の人物夫々のＩＤに対応付けて記憶している複数のマップとを照合する方法に限定されない。例えば、撮像部３５は、赤外線カメラであり、テレビジョン受信機２の周辺の温度分布を撮像し、制御部４１は、撮像部３５が撮像した温度分布と、記憶部４０が複数の人物夫々のＩＤに対応付けて記憶している複数の温度分布とを照合することによって撮像部３５が撮像した人物を識別してもよい。
【０１８４】
また、通話処理を行っている間に、撮像部３５が撮像した映像に写っている人物が増えた場合に制御部４１が実行する動作は、映像デコーダ２９に映像信号の出力を停止させることによって、通信部３３が受信した映像信号に係る映像の表示を停止することに限定されない。この場合に、例えば、制御部４１は、通信部３３が受信した映像信号に係る映像を表示する表示領域の大きさを変更してもよい。
通信システム１が備えるテレビジョン受信機の数は、３つに限定されず、２つ又は４つ以上であってもよい。
【符号の説明】
【０１８５】
２，３，４  テレビジョン受信機
２０  チューナ部
２８  スピーカ
３２  ヘッドフォン
３３  通信部
３４  受付部
３５  撮像部
４０  記憶部
４１  制御部
【図１】
2013225808.tif 000003
【図２】
2013225808.tif 000004
【図３】
2013225808.tif 000005
【図４】
2013225808.tif 000006
【図５】
2013225808.tif 000007
【図６】
2013225808.tif 000008
【図７】
2013225808.tif 000009